(57)【要約】【課題】近端クロストークを軽減することを可能とする。【解決手段】一対の信号線３を備えると共に１本のドレイン線９を備えている伝送ケーブル１をコネクタ１７に接続する際に、ドレイン線９の端面をグランド用突起部２５の先端面に当接せしめてから、グランド用突起部２５がケーブル１の内部へ圧入され、ドレイン線９とグランド用突起部２５が容易に且つ確実に接続される。次いで、一対の信号線３がシグナルコンタクト２１の上下面に振り分けて接続される。ドレイン線７が上下方向のほぼ中央位置のグランド用突起部２５に接続されるので、２つの信号線３からグランドへ流れる電流の経路が均一になる。結果として近端クロストークが軽減され、コネクタ接続部における各信号線３の特性インピーダンスの偏りが無くなる。【選択図】　　　図１
2004127623.tif 000002
【特許請求の範囲】
【請求項１】
一対の信号線を備えると共に少なくとも１本のドレイン線を備えている伝送ケーブルを接続すべく、一対の信号線を上下に振り分けて接続する接続部を上下面に備えたシグナルコンタクトと、前記ドレイン線を接続する接続部を設けたグランドコンタクトと、を備えたコネクタにおいて、
前記グランドコンタクトの接続部が、伝送ケーブル内のグランド線と接続すべく伝送ケーブル内へ挿入可能にグランドコンタクトの前方端面の上下方向のほぼ中央から前方に向けて突出したグランド用突起部であることを特徴とするコネクタ。
【請求項２】
前記グランド用突起部が、一辺を０．３〜０．５ｍｍとする断面矩形状をなすと共にグランドコンタクトの前方端面から３〜５ｍｍの突出長さを有していることを特徴とする請求項１記載のコネクタ。
【請求項３】
信号線を接続するシグナルコンタクトとドレイン線を接続するグランドコンタクトとを備えたコネクタに、一対の信号線と少なくとも１本のドレイン線を備えている伝送ケーブルを接続する伝送ケーブルの接続方法において、
ドレイン線を伝送ケーブルの端面で切断し、グランドコンタクトの前方端面の上下方向のほぼ中央から前方に向けて突出したグランド用突起部を前記伝送ケーブルの端面のドレイン線の位置へ挿入することにより、前記グランド用突起部と伝送ケーブル内のグランド線とを接続し、一対の信号線をシグナルコンタクトの上下面に振り分けて接続することを特徴とする伝送ケーブルの接続方法。
【請求項４】
前記グランド用突起部が、一辺を０．３〜０．５ｍｍとする断面矩形状をなすと共にグランドコンタクトの前方端面から３〜５ｍｍの突出長さを有していることを特徴とする請求項３記載の伝送ケーブルの接続方法。
【請求項５】
伝送ケーブルの信号線をコネクタのシグナルコンタクトに、伝送ケーブルのドレイン線をコネクタのグランドコンタクトに接続する伝送ケーブルの接続構造において、
前記シグナルコンタクトに、一対の信号線を上下に振り分けて接続する接続部を上下面に設け、前記グランドコンタクトに、伝送ケーブル内のグランド線と接続すべく伝送ケーブル内へ挿入可能にグランドコンタクトの前方端面の上下方向のほぼ中央から前方に向けて突出したグランド用突起部を設けてなることを特徴とする伝送ケーブルの接続構造。
【請求項６】
前記グランド用突起部が、一辺を０．３〜０．５ｍｍとする断面矩形状をなすと共にグランドコンタクトの前方端面から３〜５ｍｍの突出長さを有していることを特徴とする請求項５記載の伝送ケーブルの接続構造。
【発明の詳細な説明】
【０００１】
【発明の属する技術分野】
この発明は、伝送ケーブルとの接続に用いるコネクタ及びこのコネクタを用いた伝送ケーブルの接続方法並びにその接続構造に関する。
【０００２】
【従来の技術】
従来、コンピュータなどのサーバ間に使用する集合ケーブルがあり、通信信号などを大容量で瞬時に送信しても、受信及び送信が瞬時または同時にスムーズに行う場合などに用いられる。上記の集合ケーブルは多数の信号線又は信号線対を内周側から外周側へ複数層状に配置して構成される。なお、信号線とは外周に絶縁体からなる被覆材を被覆して構成されており、信号線対とは一対の信号線を平行に保持した２芯同軸ケーブル（ツイナックスと呼ばれている）である。
【０００３】
図７を参照するに、２芯同軸ケーブル１０１は１又は２本のドレイン線１０３が２本のドレイン線接続側の信号線１０５Ａ，ドレイン線非接続側のドレイン線１０５Ｂにほぼ平行に添えられてシールドされており、この２芯同軸ケーブル１０１が接続されるコネクタ１０７は上記の２本の信号線１０５Ａ，１０５Ｂを接続するためのシグナルコンタクト１０９と、ドレイン線１０３を接続するグランドとしてのグランドコンタクト１１１とが設けられている。
【０００４】
上記のコネクタ１０７への接続方法としては、２本の信号線１０５，１０５Ｂがそれぞれ１本ずつシグナルコンタクト１０９の上下面に例えば半田付けで接続され、ドレイン線１０３はグランドコンタクト１１１の上下面のいずれか一方に例えば図１５では上面に半田付けで接続される。
【０００５】
【特許文献１】
特開２００１−６７９４号公報
【０００６】
【発明が解決しようとする課題】
ところで、従来のコネクタ１０７への接続方法においては、ドレイン線１０３の接続がグランドコンタクト１１１の片面のみであることから、導体露出部においてドレイン線接続側の信号線１０５Ａとドレイン線１０３、ドレイン線非接続側の信号線１０５Ｂとドレイン線１０３の間隔に、図７において矢印で示したごとく、違いができる。すなわち、ドレイン線接続側の信号線１０５Ａとドレイン線１０３との間隔が、ドレイン線非接続側の信号線１０５Ｂとドレイン線１０３との間隔に比べて狭くなる。
【０００７】
この違いにより、信号線１０５Ａ，１０５Ｂとドレイン線１０３との間に生じる電界に違いができる。ドレイン線１０３と近い信号線１０５Ａは電気力線がドレイン線１０３に収束する割合が増大し、誘導起電力（クロストーク）が減少する。一方、ドレイン線１０３との距離が遠い信号線１０５Ｂは、電気力線がドレイン線１０３に収束する割合が減少し、誘導起電力（クロストーク）が増大するという問題があった。
【０００８】
また、各２芯同軸ケーブル１０１のグランド電位を共通にするため、すべてのグランドコンタクト１１１のグランド同士を導通させる必要があるので複雑となり、伝送特性においても不安定な要因になり得るという問題点があった。
【０００９】
【課題を解決するための手段】
上記目的を達成するために請求項１によるこの発明のコネクタは、一対の信号線を備えると共に少なくとも１本のドレイン線を備えている伝送ケーブルを接続すべく、一対の信号線を上下に振り分けて接続する接続部を上下面に備えたシグナルコンタクトと、前記ドレイン線を接続する接続部を設けたグランドコンタクトと、を備えたコネクタにおいて、
前記グランドコンタクトの接続部が、伝送ケーブル内のグランド線と接続すべく伝送ケーブル内へ挿入可能にグランドコンタクトの前方端面の上下方向のほぼ中央から前方に向けて突出したグランド用突起部であることを特徴とするものである。
【００１０】
したがって、グランド用突起部は伝送ケーブル内に容易に挿入してドレイン線との導通が簡単に且つ確実にとられる。ドレイン線がグランドコンタクトの上下方向のほぼ中央位置のグランド用突起部に接続されることから、２つの信号線からグランドへ流れる電流の経路が上下対称に均一になるので近端クロストークが軽減され、コネクタ接続部における各信号線の特性インピーダンスの偏りが無くなる。
【００１１】
請求項２によるこの発明のコネクタは、請求項１記載のコネクタにおいて、前記グランド用突起部が、一辺を０．３〜０．５ｍｍとする断面矩形状をなすと共にグランドコンタクトの前方端面から３〜５ｍｍの突出長さを有していることを特徴とするものである。
【００１２】
したがって、グランド用突起部は一辺を０．３〜０．５ｍｍとする断面矩形状で、グランドコンタクトの前方端面からの突出長さが３〜５ｍｍであるので、伝送ケーブルの端面から内部へ圧入しても伝送ケーブル内のドレイン線に程良い力で接続されることになる。
【００１３】
請求項３によるこの発明の伝送ケーブルの接続方法は、信号線を接続するシグナルコンタクトとドレイン線を接続するグランドコンタクトとを備えたコネクタに、一対の信号線と少なくとも１本のドレイン線を備えている伝送ケーブルを接続する伝送ケーブルの接続方法において、
ドレイン線を伝送ケーブルの端面で切断し、グランドコンタクトの前方端面の上下方向のほぼ中央から前方に向けて突出したグランド用突起部を前記伝送ケーブルの端面のドレイン線の位置へ挿入することにより、前記グランド用突起部と伝送ケーブル内のグランド線とを接続し、一対の信号線をシグナルコンタクトの上下面に振り分けて接続することを特徴とするものである。
【００１４】
したがって、請求項１記載の作用と同様であり、グランド用突起部は伝送ケーブル内に容易に挿入してドレイン線との導通が簡単に且つ確実にとられる。ドレイン線がグランドコンタクトの上下方向のほぼ中央位置のグランド用突起部に接続されることから、２つの信号線からグランドへ流れる電流の経路が上下対称に均一になるので近端クロストークが軽減され、コネクタ接続部における各信号線の特性インピーダンスの偏りが無くなる。
【００１５】
請求項４によるこの発明の伝送ケーブルの接続方法は、請求項３記載の伝送ケーブルの接続方法において、前記グランド用突起部が、一辺を０．３〜０．５ｍｍとする断面矩形状をなすと共にグランドコンタクトの前方端面から３〜５ｍｍの突出長さを有していることを特徴とするものである。
【００１６】
したがって、請求項２記載の作用と同様であり、グランド用突起部は一辺を０．３〜０．５ｍｍとする断面矩形状で、グランドコンタクトの前方端面からの突出長さが３〜５ｍｍであるので、伝送ケーブルの端面から内部へ圧入しても伝送ケーブル内のドレイン線に程良い力で接続されることになる。
【００１７】
請求項５によるこの発明の伝送ケーブルの接続構造は、伝送ケーブルの信号線をコネクタのシグナルコンタクトに、伝送ケーブルのドレイン線をコネクタのグランドコンタクトに接続する伝送ケーブルの接続構造において、
前記シグナルコンタクトに、一対の信号線を上下に振り分けて接続する接続部を上下面に設け、前記グランドコンタクトに、伝送ケーブル内のグランド線と接続すべく伝送ケーブル内へ挿入可能にグランドコンタクトの前方端面の上下方向のほぼ中央から前方に向けて突出したグランド用突起部を設けてなることを特徴とするものである。
【００１８】
したがって、請求項１記載の作用と同様であり、グランド用突起部は伝送ケーブル内に容易に挿入してドレイン線との導通が簡単に且つ確実にとられる。ドレイン線がグランドコンタクトの上下方向のほぼ中央位置のグランド用突起部に接続されることから、２つの信号線からグランドへ流れる電流の経路が上下対称に均一になるので近端クロストークが軽減され、コネクタ接続部における各信号線の特性インピーダンスの偏りが無くなる。
【００１９】
請求項６によるこの発明の伝送ケーブルの接続構造は、請求項５記載の伝送ケーブルの接続構造において、前記グランド用突起部が、一辺を０．３〜０．５ｍｍとする断面矩形状をなすと共にグランドコンタクトの前方端面から３〜５ｍｍの突出長さを有していることを特徴とするものである。
【００２０】
したがって、請求項２記載の作用と同様であり、グランド用突起部は一辺を０．３〜０．５ｍｍとする断面矩形状で、グランドコンタクトの前方端面からの突出長さが３〜５ｍｍであるので、伝送ケーブルの端面から内部へ圧入しても伝送ケーブル内のドレイン線に程良い力で接続されることになる。
【００２１】
【発明の実施の形態】
以下、この発明の実施の形態について図面を参照して説明する。
【００２２】
この実施の形態に係わる伝送ケーブルとしては、図６（Ａ），（Ｂ）を参照するに、２芯同軸ケーブル１は、中心導体としての信号線３の外周に絶縁体からなる被覆材５が被覆されており、この信号線３のペア線にドレイン線７とが添えられ、例えばアルミなどのテープ材９が外周に巻き付けられている。
【００２３】
図１を参照するに、この発明の実施の形態のコネクタ１７及び上記の２芯同軸ケーブル１をコネクタ１７に接続する場合の接続構造について説明すると、コネクタ１７は２芯同軸ケーブル１の２本の信号線３を接続するためのシグナルコンタクト１９と、ドレイン線９を接続するためのグランドコンタクト２１とを備えている。
【００２４】
シグナルコンタクト１９には、２本の信号線３を上下に振り分けて接続するための接続部２３Ａ，２３Ｂが上下面に設けられている。
【００２５】
また、グランドコンタクト２１には、上下方向のほぼ中央に位置してドレイン線９を接続する接続部としての例えばグランド用突起部２５が設けられている。このグランド用突起部２５はグランドコンタクト２１の前方端面の図１において上下方向のほぼ中央から前方（図１において左斜め下方向）に向けて突出しており、２芯同軸ケーブル１内のドレイン線９の位置へ挿入可能な断面形状Ｓと突出長さＬを有している。このグランド用突起部２５は、ケーブル１内へ圧入されたときに、グランド用突起部２５の先端がケーブル１内のグランド線９と程良い力で接続されるように構成されている。
【００２６】
例えば、上記のグランド用突起部２５は、断面形状Ｓが一辺を０．３〜０．５ｍｍとする断面矩形状をなしており、ケーブル１内へ挿入されるときに被覆材５に与える影響を考慮して断面がほぼ正方形状であることが望ましいが、正方形状でなくても構わない。また、突出長さＬはグランドコンタクトの前方端面から３〜５ｍｍであることが望ましい。この寸法の場合、２芯同軸ケーブル１の端面にあるドレイン線９がグランド用突起部２５でケーブル１の内部へ押し込まれるように圧入されると、グランド用突起部２５の先端とケーブル１内のドレイン線９の端面とが程良い力で接続される。
【００２７】
なお、２芯同軸ケーブル１が、アルミマイラテープ（アルミ−ＰＥＴテープ）などの導電テープ材９によって絶縁線７のペア線とドレイン線９との外周をテープ巻きして被覆されている場合は、上記のグランド用突起部２５がケーブル１の内部へ挿入されると、グランド用突起部２５が前記導電テープ材９と接触するのでシールド性が向上するという点で望ましい。
【００２８】
次に、上記のコネクタ１７へ２芯同軸ケーブル１を接続する方法を説明する。先ず、図１および図２（Ａ）に示されているように、上記のドレイン線９はケーブル１の端面とほぼ同じ位置で切断される。図２（Ｂ）に示されているように、例えば信号線３をシグナルコンタクト１９の上、下面の接続部２３Ａ，２３Ｂに接続された後、前記ドレイン線９の端面をグランド用突起部２５の先端面に当接せしめてから、図２（Ｃ）に示されているように、グランド用突起部２５がケーブル１の内部へ圧入されるようにケーブル１をグランドコンタクト２１の方向へ移動せしめる。したがって、ドレイン線９の端面部分はグランド用突起部２５によりほぼ突起長さＬの分だけケーブル１の内部へ押し込まれることになり、図３に示されているようにドレイン線９とグランド用突起部２５が確実に接続される。
【００２９】
なお、グランド用突起部２５の断面形状Ｓがドレイン線９の断面積より僅かに大きくされることにより、グランド用突起部２５がケーブル１の内部へ程良く圧入されるので、ケーブル１がグランド用突起部２５から簡単には外れなくなり、グランド接続の信頼性が向上することとなる。あるいは、グランド用突起部２５の断面形状Ｓがドレイン線９の断面積とほぼ同じであっても、上記のようにグランド用突起部２５がケーブル１内へ押し込まれて接続された後に、信号線３が潰れない程度に押さえつけることによりグランド接続の信頼性を向上することができる。
【００３０】
なお、上記のようにドレイン線９とグランド用突起部２５が接続された後に、２芯同軸ケーブル１の２本の信号線３それぞれ１本ずつシグナルコンタクト１９の上下面の接続部２３Ａ，２３Ｂに振り分けて例えば半田付けで接続してもよい。なお、上記の２本の信号線３が程良い長さでシグナルコンタクト１９に接続されることによっても、上記のドレイン線９とグランド用突起部２５との接続が簡単には外れなくなる。
【００３１】
したがって、ドレイン線９がグランドコンタクト２１の上下方向で対称に振り分ける位置のグランド用突起部２５に接続されることより、２本の信号線３からグランド（ＧＮＤ）へ流れる電流の経路が均一になるので近端クロストークが軽減され、コネクタ接続部における各信号線３の特性インピーダンスの偏りを無くすることが可能となる。
【００３２】
図４および図５には、図１に代る他の実施の形態が示されている。図４および図５において、図１における部品と同じ部品には同一の符号を符して重複する説明を省略する。
【００３３】
図１では２芯同軸ケーブル１のドレイン線７を２本使用した例で説明したが、図４においてはドレイン線７を１本使用した例であり、この場合にも図１で示した２本のドレイン線７と同様の作用並びに効果を有するものである。
【００３４】
また、図５においては、２本のドレイン線７に隣接して穴２７を形成せしめて、この各穴２７にグランド用突起部２５を挿入して、このグランド用突起部２５をドレイン線７に接触せしめて接続せしめても、図１の作用並びに効果を有するものである。
【００３５】
なお、この発明は前述した実施の形態に限定されることなく、適宜な変更を行うことによりその他の態様で実施し得るものである。
【００３６】
【発明の効果】
以上のごとき発明の実施の形態の説明から理解されるように、請求項１の発明によれば、グランド用突起部を伝送ケーブル内に容易に挿入してドレイン線との導通を簡単に且つ確実に得ることができる。しかも、ドレイン線をグランドコンタクトの上下方向のほぼ中央位置のグランド用突起部に接続したので、２つの信号線からグランドへ流れる電流の経路を上下対称に均一にできる。その結果、近端クロストークを軽減でき、コネクタ接続部における各信号線の特性インピーダンスの偏りを無くすことができる。
【００３７】
請求項２の発明によれば、グランド用突起部を、一辺が０．３〜０．５ｍｍとする断面矩形状で、グランドコンタクトの前方端面からの突出長さが３〜５ｍｍとすることにより、グランド用突起部を伝送ケーブルの端面から内部へ圧入すると伝送ケーブル内のドレイン線に程良い力で接続できる。
【００３８】
請求項３の発明によれば、請求項１記載の効果と同様であり、グランド用突起部を伝送ケーブル内に容易に挿入してドレイン線との導通を簡単に且つ確実に得ることができる。しかも、ドレイン線をグランドコンタクトの上下方向のほぼ中央位置のグランド用突起部に接続したので、２つの信号線からグランドへ流れる電流の経路を上下対称に均一にできる。その結果、近端クロストークを軽減でき、コネクタ接続部における各信号線の特性インピーダンスの偏りを無くすことができる。
【００３９】
請求項４の発明によれば、請求項２記載の効果と同様であり、グランド用突起部を、一辺が０．３〜０．５ｍｍとする断面矩形状で、グランドコンタクトの前方端面からの突出長さが３〜５ｍｍとすることにより、グランド用突起部を伝送ケーブルの端面から内部へ圧入すると伝送ケーブル内のドレイン線に程良い力で接続できる。
【００４０】
請求項５の発明によれば、請求項１記載の効果と同様であり、グランド用突起部を伝送ケーブル内に容易に挿入してドレイン線との導通を簡単に且つ確実に得ることができる。しかも、ドレイン線をグランドコンタクトの上下方向のほぼ中央位置のグランド用突起部に接続したので、２つの信号線からグランドへ流れる電流の経路を上下対称に均一にできる。その結果、近端クロストークを軽減でき、コネクタ接続部における各信号線の特性インピーダンスの偏りを無くすことができる。
【００４１】
請求項６の発明によれば、請求項２記載の効果と同様であり、グランド用突起部を、一辺が０．３〜０．５ｍｍとする断面矩形状で、グランドコンタクトの前方端面からの突出長さが３〜５ｍｍとすることにより、グランド用突起部を伝送ケーブルの端面から内部へ圧入すると伝送ケーブル内のドレイン線に程良い力で接続できる。
【図面の簡単な説明】
【図１】この発明の実施の形態における伝送ケーブルをコネクタ接続する前の状態を示す斜視図である。
【図２】（Ａ）〜（Ｃ）はグランド用突起部をドレイン線に接続せしめる動作説明図である。
【図３】この発明の実施の形態における伝送ケーブルをコネクタに接続した状態を示した斜視図である。
【図４】図１に代る他の実施の形態の例を示した斜視図である。
【図５】図１に代る別の実施の形態の例を示した斜視図である。
【図６】（Ａ）は２芯同軸ケーブルの斜視図で、（Ｂ）は（Ａ）の縦断面図である。
【図７】従来の２芯同軸ケーブルのコネクタ接続状態を示す斜視図である。
【符号の説明】
１　２芯同軸ケーブル（伝送ケーブル）
３　信号線
５　被覆材
７　ドレイン線
１７　コネクタ
１９　シグナルコンタクト
２１　グランドコンタクト
２３Ａ，２３Ｂ　接続部（シグナルコンタクト１９の）
２５　グランド用突起部
Ｓ　断面形状（グランド用突起部２５の）
Ｌ　突起長さ（グランド用突起部２５の）
【図１】
2004127623.tif 000003
【図２】
2004127623.tif 000004
【図３】
2004127623.tif 000005
【図４】
2004127623.tif 000006
【図５】
2004127623.tif 000007
【図６】
2004127623.tif 000008
【図７】
2004127623.tif 000009